【手続補正書】
【提出日】平成16年3月30日(2004.3.30)
【手続補正１】
【補正対象書類名】明細書
【補正対象項目名】特許請求の範囲
【補正方法】変更
【補正の内容】
【特許請求の範囲】
【請求項１】
物体側から順に、正の屈折力を有する対物レンズと、該対物レンズによって結像する像の上下左右を反転させる像反転光学系と、正の屈折力を有する接眼レンズとからなる実像式ファインダーにおいて、前記対物レンズは、負の屈折力を有する第１群レンズと、正の屈折力を有する第２群レンズと、負の屈折力を有する第３群レンズと、正の屈折力を有する第４群レンズとで構成し、広角端から望遠端への変倍は、前記第１群レンズと前記第２群レンズの間隔を減少させ且つ第２群レンズと前記第３群レンズの間隔を増大させ且つ前記第２群レンズと前記第４群レンズの間隔を増大させるように前記第１群レンズ乃至前記第３群レンズを移動させて変倍を行わせ、第１群レンズ、第２群レンズ、第３群レンズは、夫々１枚の単レンズからなることを特徴とする実像式変倍ファインダー。
【請求項２】
前記第４群レンズは、前記像反転光学系の入射面に、非球面状に一体形成されていることを特徴とする請求項１に記載の実像式変倍ファインダー。
【請求項３】
前記第１群レンズは、像反転手段側に強い曲率をもった負レンズであることを特徴とする請求項１又は２に記載の実像式変倍ファインダー。
【請求項４】
広角端から中間画角までは前記第１群レンズと前記第４群レンズとの間隔を減少させ、中間画角から望遠端までは前記第１群レンズと前記第４群レンズとの間隔を増大させるようにしたことを特徴とする請求項１に記載の実像式変倍ファインダー。
【請求項５】
前記非球面は、軸外部において面のパワーが軸上部より強くなるように形成されていることを特徴とする請求項２に記載の実像式変倍ファインダー。
【請求項６】
前記第４群レンズと一次結像面の間隔は以下の条件式を満足するように設定されていることを特徴とする請求項２に記載の実像式変倍ファインダー。
５＜ｄ／ｉ＜１１
但し、ｄは第４群レンズの物体側の面頂から一次結像面までの空気換算長、ｉは一次結像面の対角の大きさである。
【請求項７】
前記第３群レンズは、以下の条件式を満足する像反転手段側に凹面をもつ負メニスカスレンズであることを特徴とする請求項１又は２に記載の実像式変倍ファインダー。
１．３＜ｒ５／ｒ６＜４
但し、ｒ５は第３群レンズの物体側近軸曲率半径、ｒ６は第３群レンズの像反転手段側近軸曲率半径である。
【請求項８】
前記第３群レンズの少なくとも一面を非球面で構成したことを特徴とする請求項７に記載の実像式変倍ファインダー。
【請求項９】
前記第２群レンズの両面と前記第３群レンズの少なくとも一面が非球面で構成されることを特徴とする請求項１又は２に記載の実像式変倍ファインダー。
【請求項１０】
前記第２群レンズは両凸レンズであることを特徴とする請求項９に記載の実像式変倍ファインダー。
【請求項１１】
前記非球面は、軸外部において面のパワーが軸上部より弱くなるように形成されていることを特徴とする請求項９又は１０に記載の実像式変倍ファインダー。  
【請求項１２】
前記第１群レンズの物体側の面，及び像反転光学系側の面ともに球面からなることを特徴とする請求項９乃至１１の何れかに記載の実像式変倍ファインダー。
【請求項１３】
変倍時、光軸上で固定され、且つ前記実像式ファインダーに入射する有効光束を透過させることのできる部材が、前記第１群レンズより物体側に配置されたことを特徴とする請求項１又は２に記載の実像式変倍ファインダー。
【請求項１４】
前記部材は外装部と一体に構成したことを特徴とする請求項１３に記載の実像式変倍ファインダー。
【請求項１５】
前記第２群レンズの像反転光学系側にフレアー絞りが配置されたことを特徴とする請求項１，２又は１３の何れかに記載の実像式変倍ファインダー。
【請求項１６】
前記第４群レンズは変倍時に固定であることを特徴とする請求項１乃至１５の何れかに記載の実像式変倍ファインダー。
【手続補正２】
【補正対象書類名】明細書
【補正対象項目名】０００８
【補正方法】変更
【補正の内容】
【０００８】
【課題を解決するための手段】
上記目的を達成するために、請求項１に記載の実像式変倍ファインダーによれば、物体側から順に、正の屈折力を有する対物レンズと、該対物レンズによって結像する像の上下左右を反転させる像反転光学系と、正の屈折力を有する接眼レンズとからなる実像式ファインダーにおいて、前記対物レンズは、負の屈折力を有する第１群レンズと、正の屈折力を有する第２群レンズと、負の屈折力を有する第３群レンズと、正の屈折力を有する第４群レンズとで構成し、広角端から望遠端への変倍は、前記第１群レンズと前記第２群レンズの間隔を減少させ且つ第２群レンズと前記第３群レンズの間隔を増大させ且つ前記第２群レンズと前記第４群レンズの間隔を増大させるように前記第１群レンズ乃至前記第３群レンズを移動させて変倍を行わせ、第１群レンズ、第２群レンズ、第３群レンズは、夫々１枚の単レンズからなることを特徴としている。


【手続補正３】
【補正対象書類名】明細書
【補正対象項目名】００１２
【補正方法】変更
【補正の内容】
【００１２】
請求項３に記載の実像式変倍ファインダーによれば、前記第１群レンズは、像反転手段側に強い曲率をもった負レンズであることを特徴としている。
このように構成することにより望遠端で第１群レンズと第２群レンズの近軸的距離を小さくすることができ、全体としてコンパクト化できる。
また、請求項４に記載の実像式変倍ファインダーによれば、広角端から中間画角までは前記第１群レンズと前記第４群レンズとの間隔を減少させ、中間画角から望遠端までは前記第１群レンズと前記第４群レンズとの間隔を増大させるようにしたことを特徴としている。
また、請求項５に記載の実像式変倍ファインダーによれば、前記非球面は、軸外部において面のパワーが軸上部より強くなるように形成されていることを特徴としている。
また、請求項６に記載の実像式変倍ファインダーによれば、前記第４群レンズと一次結像面の間隔は以下の条件式を満足するように設定されていることを特徴としている。
５＜ｄ／ｉ＜１１
但し、ｄは第４群レンズの物体側の面頂から一次結像面までの空気換算長、ｉは一次結像面の対角の大きさである。
また、請求項７に記載の実像式変倍ファインダーによれば、前記第３群レンズは、以下の条件式を満足する像反転手段側に凹面をもつ負メニスカスレンズであることを特徴としている。
１．３＜ｒ５／ｒ６＜４
但し、ｒ５は第３群レンズの物体側近軸曲率半径、ｒ６は第３群レンズの像反転手段側近軸曲率半径である。
また、請求項８に記載の実像式変倍ファインダーによれば、前記第３群レンズの少なくとも一面を非球面で構成したことを特徴としている。
また、請求項９に記載の実像式変倍ファインダーによれば、前記第２群レンズの両面と前記第３群レンズの少なくとも一面が非球面で構成されることを特徴としている。
また、請求項１０に記載の実像式変倍ファインダーによれば、前記第２群レンズは両凸レンズであることを特徴としている。
また、請求項１１に記載の実像式変倍ファインダーによれば、前記非球面は、軸外部において面のパワーが軸上部より弱くなるように形成されていることを特徴としている。  
また、請求項１２に記載の実像式変倍ファインダーによれば、前記第１群レンズの物体側の面，及び像反転光学系側の面ともに球面からなることを特徴としている。
また、請求項１３に記載の実像式変倍ファインダーによれば、変倍時、光軸上で固定され、且つ前記実像式ファインダーに入射する有効光束を透過させることのできる部材が、前記第１群レンズより物体側に配置されたことを特徴としている。
また、請求項１４に記載の実像式変倍ファインダーによれば、前記部材は外装部と一体に構成したことを特徴としている。
また、請求項１５に記載の実像式変倍ファインダーによれば、前記第２群レンズの像反転光学系側にフレアー絞りが配置されたことを特徴としている。
更に、請求項１６に記載の実像式変倍ファインダーによれば、前記第４群レンズは変倍時に固定であることを特徴としている。
【手続補正４】
【補正対象書類名】明細書
【補正対象項目名】００５０
【補正方法】変更
【補正の内容】
【００５０】
（３）  前記第４群レンズと一次結像面の間隔は以下の条件式を満足するように設定されていることを特徴とする請求項２に記載の実像式変倍ファインダー。
５＜ｄ／ｉ＜１１        （１）
但し、ｄは第４群レンズの物体側の面頂から一次結像面までの空気換算長、ｉは一次結像面の対角の大きさである。
なお、条件式（１）の下限を越えると、第４群レンズが像面に近づき過ぎ、十分な軸外光束の補正ができず、また、像反転部材が入らない。条件式（１）の上限を越えると、全体の大きさが大きくなり好ましくなく、しかも、軸外光束と軸上光束の分離の程度が悪くなり、軸外光束への有効な補正面を形成しにくくなる。


【手続補正５】
【補正対象書類名】明細書
【補正対象項目名】００５１
【補正方法】変更
【補正の内容】
【００５１】
（４）  前記第３群レンズは、以下の条件式を満足する像反転手段側に凹面をもつ負メニスカスレンズであることを特徴とする請求項１又は２に記載の実像式変倍ファインダー。
１．３＜ｒ５／ｒ６＜４                （２）
但し、ｒ５は第３群レンズの物体側近軸曲率半径、ｒ６は第３群レンズの像反転手段側近軸曲率半径である。
なお、条件式（２）の下限を超えるとレンズのパワーが小さくなり過ぎ、収差の補正能力自体が弱くなり、又、視度の補正機能が果たしにくくなる。条件式（２）の上限を超えるとレンズのパワーが大きくなり過ぎ、周辺光束の入射瞳位置が望遠側で物体側に、広角側で中間像面方向へ移動する為に対物光学系の有効径が大きくなる。又、軸上光束を含めたバランスの良い収差補正が施しにくくなる。


【手続補正６】
【補正対象書類名】明細書
【補正対象項目名】００５４
【補正方法】変更
【補正の内容】
【００５４】
（７）  前記非球面は、軸外部において面のパワーが軸上部より弱くなるように形成されていることを特徴とする上記（６）に記載の実像式変倍ファインダー。


【手続補正７】
【補正対象書類名】明細書
【補正対象項目名】００５７
【補正方法】変更
【補正の内容】
【００５７】
（１０）  前記第２群レンズの像反転光学系側にフレアー絞りが配置されたことを特徴とする請求項１，２，及び上記（９）の何れかに記載の実像式変倍ファインダー。
このように、第２群レンズの像反転光学系側にフレアー絞りを配置すれば、不要な光束が像反転光学系に入射するのを防止し、ファインダー等の見えを良好にすることができる。